(57)【要約】【課題】側フレーム部に対して非平行の関係となったスカート部の側部との位置決め固着が簡単となる。【解決手段】便器１の前側の外郭を構成する平断面略Ｕ字状をしたスカート部２の下部の内周に沿ってフランジ片３を突設すると共にスカート部２の側部の後端部の下端部に内側に向けてリブ４を突設する。便器１の支持フレーム５の一部である下フレーム６の左右側フレーム部７をスカート部２の側部のフランジ片３を突出した部位と非平行とする。スカート部２のフランジ片３を下フレーム６の前部に重ねると共に両側のリブ４を左右側フレーム部７の外側面に当接してスカート部２の内面と側フレーム部７の外側面との間に隙間８を形成する。フランジ片３と側フレーム部７とをボルト９により結合する。フランジ片３と側フレーム部７とに互いに連通して位置決め用の位置決めピン１０を挿入できる位置決め孔１１、１２を形成する。【選択図】図１
2009235747.tif 000002
【特許請求の範囲】
【請求項１】
便器の前側の外郭を構成する平断面略Ｕ字状をしたスカート部の下部の内周に沿ってフランジ片を突設すると共にスカート部の側部の後端部の下端部に内側に向けてリブを突設し、便器の支持フレームの一部である下フレームの左右側フレーム部をスカート部の側部のフランジ片を突出した部位と非平行とし、スカート部のフランジ片を下フレームの前部に重ねると共に両側のリブを左右側フレーム部の外側面に当接してスカート部の内面と側フレーム部の外側面との間に隙間を形成し、フランジ片と側フレーム部とをボルトにより結合し、上記フランジ片と側フレーム部とに互いに連通して位置決め用の位置決めピンを挿入できる位置決め孔を形成して成ることを特徴とする便器のスカートの支持フレームへの取付け構造。 
【発明の詳細な説明】
【技術分野】
【０００１】
本発明は、便器のスカートの支持フレームへの取付け構造に関するものである。
【背景技術】
【０００２】
従来から、便器の前側の外郭部を構成する平断面略Ｕ字状をしたスカート部を便器内に配置した金属製の支持フレームにより支持するようにしたものが特許文献１により知られている。
【０００３】
支持フレームの一部である下フレームは平面視Ｕ字状をしており、左右側フレーム部をスカート部の左右の側部の下端部内面に沿わせた状態で側フレーム部にスカート部の下端部を固着するようにしている。
【０００４】
ここで従来は、金属製の支持フレームの上記左右側フレーム部とスカート部の側部とが平行な関係となっており、固着に当っての両者の位置決めが容易に行える。しかし、スカート部の側部を外観を良くし高級感を出すために左右の側部間の間隔を後にいくほど広くするようにしたり、あるいは曲面とすると、直線状のフレーム部に対して該フレーム部と非平行の関係となったスカート部の側部を位置決めして固着するのは難しく、組み立てに時間とコストがかかるという問題があった。
【特許文献１】特開２００７−２５５１５９号公報
【発明の開示】
【発明が解決しようとする課題】
【０００５】
本発明は上記の従来の問題点に鑑みて発明したものであって、側フレーム部に対して非平行の関係となったスカート部の側部との位置決め固着が簡単となる便器のスカートの支持フレームへの取付け構造を提供することを課題とするものである。
【課題を解決するための手段】
【０００６】
上記課題を解決するために本発明に係る便器のスカートの支持フレームへの取付け構造は以下の構成となっている。便器１の前側の外郭を構成する平断面略Ｕ字状をしたスカート部２の下部の内周に沿ってフランジ片３を突設すると共にスカート部２の側部の後端部の下端部に内側に向けてリブ４を突設し、便器１の支持フレーム５の一部である下フレーム６の左右側フレーム部７をスカート部２の側部のフランジ片３を突出した部位と非平行としている。スカート部２のフランジ片３を下フレーム６の前部に重ねると共に両側のリブ４を左右側フレーム部７の外側面に当接してスカート部２の内面と側フレーム部７の外側面との間に隙間８を形成してある。フランジ片３と側フレーム部７とをボルト９により結合し、上記フランジ片３と側フレーム部７とに互いに連通して位置決め用の位置決めピン１０を挿入できる位置決め孔１１、１２を形成してある。
【０００７】
このような構成とすることで、スカート部２のフランジ片３を下フレーム６の前部に重ね、両側のリブ４を左右側フレーム部７の外側面に当接し、この状態でフランジ片３の位置決め孔１１と側フレーム部７の位置決め孔１２とを連通させて位置決めピンを挿入することで、側フレーム部７に対して非平行となったスカート部２の側部との位置決めをしてボルト９により固着できる。
【発明の効果】
【０００８】
本発明は、上記のようにスカート部の側部の後端に内側に向けてリブを突設し、該リブを側フレーム部の外側面に当接し、フランジ片とフレーム部とに互いに連通して位置決め用の位置決めピンを挿入できる位置決め孔を形成してあるので、側フレームに対して非平行となったスカート部の側部を簡単な構成で位置決めして固着することができる。これにより便器の外郭を構成するスカート部の側部の外観をよくするために側フレームと非平行にしても便器の組み立て構成が複雑とならず、外観がよく商品価値の高い便器を安価に提供できる。
【発明を実施するための最良の形態】
【０００９】
以下、本発明を添付図面に示す実施形態に基いて説明する。
【００１０】
本発明の便器１は、ボウル部１３を備えた前パーツ１４と、後パーツ１５と、トラップケース１６と、支持フレーム５とで構成してある。
【００１１】
前パーツ１４は便器１の前部の外郭を構成する平断面略Ｕ字状をしたスカート部２と、スカート部２内の上部内に位置したボウル部１３と、ボウル部１３の上に位置するリム部１８とで構成してあり、スカート部２、ボウル部１３、リム部１８は一体化してある。添付図面に示す実施形態では、スカート部２、ボウル部１３、リム部１８がそれぞれ合成樹脂により成形してあり、このように合成樹脂により成形したスカート部２、ボウル部１３、リム部１８を溶着により一体化した例が示してある。
【００１２】
便器１の前側の外郭を構成する平断面略Ｕ字状をしたスカート部２は図４に示すようなもので、スカート部２の下部には内周に沿ってフランジ片３が一体に突設してある。スカート部２は全体が曲面形状をしており、左右両側部も曲面形状をしていて左右両側部のフランジ片３を突設した部分は側部間の間隔が後側に行くほど広くなるように形成してある。また、スカート部２の左右両側部の後端部の下端部には内側に向けて互いに対向するリブ４が突設してある。フランジ片３にはボルト挿入孔１９と、位置決め孔１１が設けてある。
【００１３】
支持フレーム５は前パーツ１４、後パーツ１５、トラップケース１６を支持するためのもので、下フレーム６と、下フレーム６から上方に突設した上フレーム２０とを備えている。
【００１４】
下フレーム６の前部は平面視Ｕ字状をしており、下フレーム６の左右両側フレーム部７はそれぞれ直線状をし且つ平行な関係となっている。下フレーム６にはボルト挿入孔２１と、位置決め孔１２が設けてある。
【００１５】
ここで、スカート部２の左右両側部のフランジ片３を突設した部分は上記下フレーム６の左右両側フレーム部７と非平行な関係となっている。実施形態においては、図１に示すように、スカート部２のフランジ片３を突設した部分は全周が下フレーム６の前部と非平行な関係となっている。
【００１６】
上記の構成の前パーツ１４のスカート部２を支持フレーム５に取付けるに当っては、図５に示すように、前パーツ１４を上下逆にし、スカート部２の下部のフランジ片３の下面（組み立て作業時にはスカート部２を上下逆にしているためフランジ片３の下面が上となる）に、支持フレーム５の下フレーム６の前部を重ね、フランジ片３に設けた位置決め孔１１と、両側のリブ４を左右側フレーム部７の外側面に当接し、更に、フランジ片３に設けた位置決め孔１１と、側フレーム部７に設けた位置決め孔１２とを相互に連通させ、この状態で連通する位置決め孔１１、１２に位置決めピン１０を挿入して位置決めを行う。このように位置決めピン１０を挿入して位置決めすることでフランジ片３に設けたボルト挿入孔１９と下フレーム６に設けたボルト挿入孔２１とが連通するので、ボルト挿入孔１９、ボルト挿入孔２１にボルト９を挿入して、図６に示すように、パッキン３１、ワッシャ３２を介してナット３３を締め付けることで固着するものである。
【００１７】
上記のようにして互いに非平行の関係となったスカート部２の両側部と左右側フレーム部７とを固着すると、互いに非平行の関係となったスカート部２の内面と側フレーム部７の外側面との間に隙間８が形成されるが、上記のように、スカート部２の側部の後端に内側に向けて突設したリブ４を側フレーム部７の外側面に当接し、フランジ片３に設けた位置決め孔１１と、側フレーム部７に設けた位置決め孔１２とを連通して位置決めピン１０を挿入することで、互いに非平行の関係となったスカート部２の両側部と左右側フレーム部７との位置決めが簡単にでき、ボルト９による固着が簡単且つ正確に行えることになる。
【００１８】
このようにして前パーツ１４を支持フレーム５に取付けた状態を図１乃至図３に示している。
【００１９】
上記のようにして前パーツ１４のスカート部２を取付けた支持フレーム５には、更に、上フレーム２０にトラップケース１６を取付ける。トラップケース１６内には上下に反転自在なターントラップが内装してあり、該ターントラップの前端部をボウル部１３の下部後端部に設けた排出孔部２３に接続する。
【００２０】
本実施形態においてはトラップがターントラップ方式のもので、フレキシブルなトラップ筒（図示せず）により構成してあり、モータ（図示せず）によりトラップ筒を回動してトラップ筒が上向きＵ字状となったトラップ構造となる状態と、略逆Ｌ字状となってトラップ構造が解除されて排水される状態とを選択できるようになっており、通常はトラップ筒が上向きＵ字状となったトラップ構造となっていてボウル部１３内の下部、トラップ筒内に水が溜まる構造となっていて、この状態で大便や小便を行い、大便や小便が終わると、ボウル部１３内に洗浄水を流すと共に、トラップ筒を回動してトラップ構造状態を解除することで汚物と共に洗浄水を排水するようになっている。
【００２１】
もちろん、本発明においては、トラップがターントラップ方式のものにのみ限定されるものではない。
【００２２】
後パーツ１５は、上カバー２６、装置支持ケース２７、側カバー２８、背面カバー２９で構成してある。
【００２３】
後パーツ１５の装置支持ケース２７には局部洗浄用の温水洗浄装置等の便器付属装置３０、便座、便蓋１７が取付けてあり、装置支持ケース２７に上カバー２６が着脱自在に取付けてある。
【００２４】
装置支持ケース２７は支持フレーム５の上フレーム２０に取付け、側カバー２８、背面カバー２９は装置支持ケースや支持フレーム５に着脱自在に取付ける。
【図面の簡単な説明】
【００２５】
【図１】本発明のスカート部の左右壁部を支持フレームに位置決めして取付ける構成を説明するための下面図である。
【図２】同上の側面図である。
【図３】同上の側面断面図である。
【図４】同上のスカート部を示し、（ａ）は平面図であり、（ｂ）は側面図であり、（ｃ）は下面図である。
【図５】同上の側フレーム部とフランジ片とを組み合わせるに当っての位置決め固着を説明する斜視図である。
【図６】同上の側フレーム部とフランジ片とをボルトで固着した部分の断面図である。
【図７】同上の便器の側カバーを取外した状態の側面図である。
【図８】同上の便器の側面図である。
【符号の説明】
【００２６】
１  便器
２  スカート部
３  フランジ片
４  リブ
５  支持フレーム
６  下フレーム
７  側フレーム部
８  隙間
９  ボルト
１０  位置決めピン
１１  位置決め孔
１２  位置決め孔 
【図１】
2009235747.tif 000003
【図２】
2009235747.tif 000004
【図３】
2009235747.tif 000005
【図４】
2009235747.tif 000006
【図５】
2009235747.tif 000007
【図６】
2009235747.tif 000008
【図７】
2009235747.tif 000009
【図８】
2009235747.tif 000010